Podtech/llm-jp-corpus-v4-ja_patent huggingface dataset:
(57)【要約】【課題】バター等を残さず掬えるバターナイフを、蓋内面やバター等に触れない状態で着脱できるように容器内腔に収納する。【解決手段】先端形状を容器内底面に合せ刃部を薄くしたバターナイフ３を本体１と一体に製造し、蓋２の内面に係止部２ａを設ける。【選択図】  図４
2005104581.tif 000002
【特許請求の範囲】
【請求項１】
本体又は蓋とバターナイフを一体に射出成形して製造するバター等のスプレッド食品用合成樹脂製容器。
【請求項２】
蓋内面及びバター等に触れない状態でバターナイフを着脱できる係止部を、蓋内面に設けたバター等のスプレッド食品用容器。
【請求項３】
本体内底面に合せた先端形状を持ち、刃部が撓むように薄く形成されていることを特徴とする請求項１に記載の合成樹脂製バターナイフ。
【発明の詳細な説明】
【発明の詳細な説明】
【技術分野】
【０００１】本発明は、バター、マーガリン等のスプレッド食品用容器に関する。
【背景技術】
【０００２】近年、バター、マーガリン、ピーナツバター、スプレッドチーズ等の食品は合成樹脂製容器に充填して販売されている。容器の本体及び蓋には、一般にバターナイフの刃部を容器内に、柄部を容器外に突出するように係止する切り欠きが設けられているが、該切り欠きは市販の主にステンレススチール製の様々なサイズのバターナイフを想定した単純な矩形になっているため、しっかりした係止を図ることは難しく、更に冷蔵庫内にバターナイフの柄が突出して他の収容物のじゃまになると共に、切り欠きからバター等の鮮度劣化を招く空気流入を防げない等の不都合があった。又、ステンレススチール製のバターナイフは、硬いバターを切るためには相応しいが、スプレッドタイプの柔らかいバター等にはその硬さは必要では無く、むしろ刃部の硬さ故にバター等を残さず掬うことが難しくなっている。
【発明が解決しようとする課題】
【０００３】バターナイフを、蓋内面やバター等に触れない状態で着脱できるように容器内腔に収納して、バターナイフの柄部を容器外に突出させないと共に、バター等の鮮度劣化を招く空気流入孔を無くす。又、本体内底面に合せた先端形状と撓む薄刃によってスプレッドタイプのバター等を残すことなく掬えるバターナイフの提供。
【課題を解決するための手段】
【０００４】本発明は、上記課題を達成するために、次の技術的手段を講じた。
【０００５】バターやマーガリン等を充填する合成樹脂製容器の本体１のフランジ部１ｂに、ランナー１ａを介してバターナイフ３が成形できるように金型を加工し、本体又は蓋とバターナイフが、一度の射出成形工程で製造されるようにする。
【０００６】蓋２の内面にバターナイフ３が着脱できる係止部２ａを形成する。
【０００７】バターナイフ３の先端形状３ｂを本体内底面に合せ、刃部３ａを撓むように薄くする。
【発明を実施するための最良の形態】
【０００８】以下、本発明の実施の形態について図面に基づいて説明する。【０００９】図１、図２、図４、及び図６に示す本発明の第一の実施の形態に係るバター等の容器は、一体成形された本体１及びバターナイフ３と、内面にバターナイフの係止部２ａを設けた蓋２により構成されている。【００１０】本体１は、図１に示すようにランナー１ａを介してバターナイフ３を連設した状態で射出成形により製造し、バター等を充填後蓋２をかぶせ、図６に示すようにバターナイフ３を下方に折曲げて梱包出荷される。【００１１】バターナイフ３は、バター等を購入した消費者によってランナー１ａから切離され使用される。【００１２】バターナイフ３の使用後は、図２及び図４に示すように、蓋２と充填されたバター等４の上面とによって得られる容器内腔にクリップ式の係止部２ａによって係止収納される。【００１３】バターナイフ３は、先端形状３ｂを本体内底面に合せ、刃部３ａを薄く形成して、容器１の内面等に当たると刃部が撓むようにする。【００１４】バターナイフは、図５の（３′）のようにランナー１′を介して、蓋２′に連設して成形することもできる。【００１５】又、図３及び図５で示すようにバターナイフ３′に、あらかじめホック穴を形成し蓋２′の内面にホックのある係止部２′ａを設けけて係止する等、係止方法には様々な態様を採ることができる。【００１６】係止部２ａや２′ａは、蓋と一体成形によって得られるものに限らず、接着等の手段で固定されても良い。
【発明の効果】
【００１７】本発明によれば、同時一体成形という安価で量産性に優れた成形方法で専用のバターナイフを個々のスプレッド食品容器に付加するので、バターナイフを容器内腔に着脱可能な方法で係止させることが可能になり、これによってバターナイフが衛生的に収納されると共に柄部が容器外に突出して冷蔵庫内の他の収容物のじゃまになる等の不便を解消することができる。更に、バターナイフは上記の係止方法で収納するために、本体及び蓋に食品の鮮度劣化を招く空気の流入孔となる切り欠きを無くすことが可能となる。又、専用のバターナイフは、その先端形状を容器内底面に合せることができる利点があり、併せて刃部をに撓むように薄く形成すれば、スプレッド食品を残すことなく掬うことができる。
【図面の簡単な説明】
【図１】本発明の第一の実施の形態に係る本体とバターナイフの成形直後の状態を示す斜視図である。
【図２】本発明の第一の実施の形態に係るバターナイフの係止状態を示す斜視図である。
【図３】本発明の第二の実施の形態に係るバターナイフの係止状態を示す斜視図である。
【図４】本発明の第一の実施の形態に係る容器の横断面図である。
【図５】本発明の第二の実施の形態に係る容器の横断面図である。
【図６】本発明の第一の実施の形態に係る梱包出荷時の状態を示す斜視図である。
【符号の説明】
１        第一の実施の形態に係る本体
２        第一の実施の形態に係る蓋
３        第一の実施の形態に係るバターナイフ
４        バター等
１ａ      第一の実施の形態に係るランナー
１ｂ      第一の実施の形態に係るフランジ
２ａ      第一の実施の形態に係る係止部
３ａ      第一の実施の形態に係るバターナイフの刃部
３ｂ      第一の実施の形態に係るバターナイフの先端形状
１′      第二の実施の形態に係る本体
２′      第二の実施の形態に係る蓋
３′      第二の実施の形態に係るバターナイフ
１′ａ    第二の実施の形態に係るランナー
２′ａ    第二の実施の形態に係る係止部
（３′）  第二の実施の形態に係るバターナイフの製造時の態様
【図１】
2005104581.tif 000003
【図２】
2005104581.tif 000004
【図３】
2005104581.tif 000005
【図４】
2005104581.tif 000006
【図５】
2005104581.tif 000007
【図６】
2005104581.tif 000008
(57)【要約】【課題】炭酸ガスを含有する発泡性飲料を注入した瓶の瓶口を封止した栓が飛散又は落下する速度を減速させる安全落下装置を提供する。【解決手段】中空形状の収納容器内に落下傘を収納し、収納容器の底部に仕切り板を設け、仕切り板に発泡性飲料を注入した瓶の瓶口を封止した栓に接合するネジを設け、収納容器上部に開閉可能な蓋を設けたことを特徴とする安全落下装置である。【選択図】図１
2005104584.tif 000002
【特許請求の範囲】
【請求項１】
炭酸ガスを含有する発泡性飲料を注入した瓶の瓶口を封止した栓に接合する安全落下装置であって、中空形状の収納容器内に落下傘を収納し、収納容器の底部に仕切り板を設け、仕切り板に該栓に接合するネジを設け、収納容器上部に開閉可能な蓋を設けたことを特徴とする安全落下装置。
【発明の詳細な説明】
【技術分野】
【０００１】  本発明は炭酸ガスを含有する発泡性飲料を注入した瓶の瓶口を封止した栓が飛散又は落下する速度を減速させる安全落下装置に関するものである。
【背景技術】
【０００２】  従来、炭酸ガスを含有する発泡性飲料を注入した瓶の瓶口を封止した栓は開封の際炭酸ガスの圧力により与えられる運動エネルギーにより飛散し、その後は重力に任せて落下していた。
【発明の開示】
【発明が解決しようとする課題】
【０００３】  そのために次のような問題点があった。
（イ）栓の飛散速度が速いため、人や物品に衝突して、人に怪我を負わせる或いは物品を破損する危険性があった。
（ロ）飛散後栓は重力により落下するため、落下地点に飲食物が存在する場合、飲食物に混入して飲食物の清潔性を損なっていた。
本発明は、これらの問題点を解決するためになされたものである。
【課題を解決するための手段】
【０００４】  中空形状の収納容器内に落下傘を収納し、収納容器の底部に仕切り板を設け、仕切り板に発泡性飲料を注入した瓶の瓶口を封止した栓に接合するネジを設け、収納容器上部に開閉可能な蓋を設けたことを特徴とする安全落下装置である。
【発明の効果】
【０００５】  炭酸ガスを含有する発泡性飲料を注入した瓶の瓶口を封止した栓に安全落下装置を接合することにより、該栓が炭酸ガスの圧力により飛散する際、又は該栓が重力により落下する際に該栓の運動エネルギーを吸収し、安全な速度まで減速させるため、人や物品に害を及ぼす可能性は無くなり、また落下の際も速やかに該栓を回収することができるため、飲食物に該栓が混入する危険性も無い。
【発明を実施するための最良の形態】
【０００６】  以下、本発明の実施の形態を説明する。
（イ）落下傘（２）を折りたたみ、中空形状の収納容器（１）の内部に収納する。
（ロ）収納容器（１）の底部に仕切り板（３）を設ける。
（ハ）仕切り板（３）にネジ（４）を設ける。
（ニ）仕切り板（３）と落下傘（２）を紐（５）で結合する。
（ホ）収納容器（１）の上部に蓋（６）を設け、収納容器連結軸（８）と蓋連結軸（９）を連結する。
以上のような構成でこれを使用するときは、炭酸ガスを含有する発泡性飲料を注入した瓶の瓶口を封止した栓（１０）にネジ（４）を挿入し、栓（１０）と安全落下装置（１２）を接合した状態で瓶（１１）から栓（１０）を外す。すると炭酸ガスの圧力により運動エネルギーを与えられた栓（１０）は飛散を開始する。このとき、つば（７）が空気抵抗を受けるため、蓋（６）が開となり落下傘（２）が収納容器（１）から放出される。放出された落下傘（２）は空気抵抗及び運動エネルギーにより自動的に開傘して、栓（１０）の運動エネルギーを吸収するため、栓（１０）の飛散速度が遅くなり、人や物品に害を及ぼす可能性は無くなる。また同様に落下傘（２）は栓（１０）が重力により落下する際の運動エネルギーも吸収するため、栓（１０）の落下速度が遅くなり、栓（１０）を速やかに回収できるため、栓（１０）が飲食物に混入して飲食物の清潔性を損なう危険性も無くなる。
【図面の簡単な説明】
【０００７】
【図１】  本発明の斜視図
【図２】  本発明の主要部分を分解した斜視図
【図３】  本発明の断面図
【図４】  本発明の実施による安全落下装置シーケンスを示す図
【符号の説明】
【０００８】１  収納容器
２  落下傘
３  仕切り板
４  ネジ
５  紐
６  蓋
７  つば
８  収納容器連結軸
９  蓋連結軸
１０  栓
１１  瓶
１２  安全落下装置
【図１】
2005104584.tif 000003
【図２】
2005104584.tif 000004
【図３】
2005104584.tif 000005
【図４】
2005104584.tif 000006
(57)【要約】【課題】  容器内の内容物を取り出す際に、適量選択板により選択した適量を常に取り出す事が可能な、容器の底部に使用する適量取り出し機能付ふたを提供する。【解決手段】  適量取り出しふた（１）に回収穴（２）と取り出し口（３）、支軸（４）を設け、支軸（４）に、適量選択穴（５）と支軸取付穴（６）を設けた適量選択板（７）と、通過穴（８）と支軸取付穴（９）を設けた通過ふた（１０）を取り付け、支軸（４）の先端に遮断板（１１）を取り付けたことを特徴とする。【選択図】    図１
2005104577.tif 000002
【特許請求の範囲】
【請求項１】
適量取り出しふた（１）に回収穴（２）と取り出し口（３）、支軸（４）を設け、支軸（４）に、適量選択穴（５）と支軸取付穴（６）を設けた適量選択板（７）と、通過穴（８）と支軸取付穴（９）を設けた通過ふた（１０）を取り付け、支軸（４）の先端に遮断板（１１）を取り付けた、容器の底部に使用する適量取り出し機能付ふた。
【発明の詳細な説明】
【発明の詳細な説明】
【技術分野】
【０００１】  この発明は、適量選択板により選択した適量を、常に取り出す事が可能な、容器の底部に使用する適量取り出し機能付ふたに関するものである。
【背景技術】
【０００２】  従来の容器のふたは、保存時の密閉度は優れているが、使用する際に使用者は一度手のひらやふたなど、容器の外に内容物を取り出し、余分な量を容器に戻すなど、適量を確認したのちに使用していた。その結果、空気やほこりにふれ、不衛生であった。
【発明が解決しようとする課題】
【０００３】  これはつぎのような欠点があった。
内容物を取り出す際に、適量を目で数えて確認してから使用するため、ふたを開けている時間が長くなり、容器の密閉度が損なわれ、しかもめんどうであった。また、手のひらで数えるなどして、余分な量を容器内に戻すため、不衛生である。
目の自由な人が毎日同じ量の薬を服用する時などの際には、適量取り出す事が不確実であり、また手間がかかっていた。
本発明は、以上のような欠点をなくすためになされたものである。
【課題を解決するための手段】
【０００４】  適量取り出しふた（１）に回収穴（２）と取り出し口（３）、支軸（４）を設け、支軸（４）に、適量選択穴（５）と支軸取付穴（６）を設けた適量選択板（７）と、通過穴（８）と支軸取付穴（９）を設けた通過ふた（１０）を取り付け、支軸（４）の先端に遮断板（１１）を取り付ける。
本発明は、以上の構成よりなる容器の底部に使用する適量取り出し機能付ふたである。
【発明を実施するための最良の形態】
【０００５】  以下、本発明の実施の形態について説明する。
適量取り出しふた（１）に回収穴（２）と取り出し口（３）、支軸（４）を設け、支軸（４）に、適量選択穴（５）と支軸取付穴（６）を設けた適量選択板（７）と、通過穴（８）と支軸取付穴（９）を設けた通過ふた（１０）を取り付け、支軸（４）の先端に遮断板（１１）を取り付ける。
本発明は、以上のような構造でこれを使用するときは、適量選択板（７）を回転させ、適量選択穴（５）と通過ふた（１０）の通過穴（８）を取り出したい数だけ一致させる。そのあと、先端に遮断板（１１）を取り付けた支軸（４）を中心にして適量取り出しふた（１）をひねり回転させる。その結果、内容物は、支軸（４）の先端に取り付けてある遮断板（１１）により、上部からの流入を遮断され、通過ふた（１０）の通過穴（８）と適量選択板（７）の適量選択穴（５）が一致した数だけ通過し、回収穴（２）から適量取り出しふた（１）の内部に入り、取り出し口（３）から出てくるのである。
【発明の効果】
【０００６】  本発明品を使用する事により、適量選択板で取り出す量を選択しておけば、使用者は適量取り出しふたをひねって回転させるだけで、常に適量を取り出せる。
適量取り出しふたをひねって回転させるだけなので、簡単であり、しかもふたを完全にあけさる必要がないため容器の密閉度も保たれる。
錠剤やサプリメントなどを、毎日使用する際に数を数える手間がかからない。
目の不自由な人が毎回同量の薬などを飲用する際、決められた量を確実に取り出す事が可能である。
【図面の簡単な説明】
【図１】本発明の分解斜視図である。
【図２】本発明の平面図である。
【図３】本発明の正面図である。
【符号の説明】
１  適量取り出しふた
２  回収穴
３  取り出し口
４  支軸
５  適量選択穴
６  支軸取付穴
７  適量選択板
８  通過穴
９  支軸取付穴
１０  通過ふた
１１  遮断板
【図１】
2005104577.tif 000003
【図２】
2005104577.tif 000004
【図３】
2005104577.tif 000005
(57)【要約】      （修正有）【課題】袋の外側のパッケージがゴミにならないよう、パッケージ自体を袋として使用できるような袋を提供する。【解決手段】外側のパッケージを、折りたたんだ袋で代用してしまうことを特徴とする。【選択図】図２
2005104576.tif 000002
【特許請求の範囲】
【請求項１】
複数の袋の一枚を、袋のパッケージにする。
【発明の詳細な説明】
【発明の詳細な説明】
【技術分野】
【０００１】  この発明は、袋そのものを袋のパッケージにする、ゴミの出ない袋に関するものである。
【背景技術】
【０００２】  従来、パッケージそのものは袋ではなかった。
【発明の開示】
【発明が解決しようとする課題】
【０００３】  これは次のような欠点があった。
従来、袋を包むパッケージそのものが、ゴミとして消費されていた。
本発明は、以上のような欠点をなくすために考えたものである。
【課題を解決するための手段】
【０００４】  袋の一枚に、残りの袋をたたんで入れ、アイロンで口を閉じ、その少し下にミシン目を入れる。中に入れた袋をミシン目のある方につめ、真ん中にする。パッケージとなる袋をたたんでテープでとめる。
本発明は、以上の構成のゴミの出ない袋である。
【発明を実施するための最良の形態】
【０００５】  以下、本発明の実施の形態について説明する。
折りたたんだ数枚の袋を一枚の袋に入れ、その口を閉じてミシン目を入れる。そしてコンパクトに折りたたんで、テープでとめる。
本発明は以上のような構成で、これを使用するときは袋の中の袋を一枚づつ使用し、最後にパッケージとなっているゴミ袋のミシン目をやぶり、そのまま袋として使用する。
【発明の効果】
【０００６】  パッケージも袋として使用できるので余計なゴミが出ない。
パッケージの分の重さが軽減されるので、大量に輸送するときのコストダウンにつながる。
【図面の簡単な説明】
【０００７】
【図１】本発明の分解図である。
【図２】本発明の組立図である。▲１▼▲２▼▲３▼▲４▼の順で折りたたみ、袋の口を圧着してミシン目をいれる。
【図３】本発明の完成図である。テープで袋の下と口の部分をとめている状態である。
【図１】
2005104576.tif 000003
【図２】
2005104576.tif 000004
【図３】
2005104576.tif 000005
(57)【要約】【課題】  植物エキスによる効能を十分に発揮することができるゲルシートを提供する。【解決手段】  パック用ゲル材料に、植物抽出エキスを３０％以上含有させ、シート状に成形して成るゲルシート１０から成る。ゲルは、ポリアクリル酸塩をベースに形成もの、または寒天とポリアクリル酸もしくはポリアクリル酸塩をベースに形成する。ゲルには、アロエ、キャロット、キューカンバー、桃の葉、ホホバ、ラズベリーのうちの任意の１種以上の植物エキスを含有する。さらに、ゲルに、ラベンダー、ローズマリー、ハッカ、ヒノキ、カモミラ、バラ、カミツレのうちの任意の１種以上のハーブエキスを加えてもよい。【選択図】      図１
2005104859.tif 000002
【特許請求の範囲】
【請求項１】
パック用ゲル材料に、植物抽出エキスを３０％〜９０％含有させ、シート状に成形して成ることを特徴とするゲルシート。
【請求項２】
上記ゲルは、ポリアクリル酸とポリアクリル酸塩の少なくとも一方をベースに形成ものであることを特徴とする請求項１記載のゲルシート。
【請求項３】
上記ゲルは、寒天、及びポリアクリル酸とポリアクリル酸塩の少なくとも一方をベースに形成ものであることを特徴とする請求項１記載のゲルシート。
【請求項４】
上記ゲルには、アロエ、キャロット、キューカンバー、桃の葉、ホホバ、ラズベリーのうちの任意の１種以上の植物エキスを含有することを特徴とする請求項１、２または３記載のゲルシート。
【請求項５】
上記ゲルに、ラベンダー、ローズマリー、ハッカ、ヒノキ、カモミラ、バラ、カミツレのうちの任意の１種以上のハーブエキスを加えたことを特徴とする請求項４記載のゲルシート。
【発明の詳細な説明】
【技術分野】
【０００１】
この発明は、シート状に形成され顔のパック等に用いるゲルシートに関する。
【背景技術】
【０００２】
従来、特許文献１に開示されているように、化粧用のゲル状材料をシート状に形成したものがある。さらに、このゲルシートに、植物エキスを含有したものも提案されているが、その含有量は、０．１〜１．０％程度であった。
【特許文献１】特開平３−８１２１３号公報
【発明の開示】
【発明が解決しようとする課題】
【０００３】
上記従来の技術のゲルシートは、植物エキスの量が少なく、十分に植物エキスの効能を得ることができないものであった。また、植物エキスだけでは十分な美容効果や薬効が得られない場合もあった。
【０００４】
この発明は上記従来の技術の問題点に鑑みてなされたものであり、植物エキスによる効能を十分に発揮することができるパック用のゲルシートを提供することを目的とする。
【課題を解決するための手段】
【０００５】
この発明は、パック用ゲル材料に、植物抽出エキスを３０％〜９０％、好ましくは４０％〜５０％含有させ、シート状に成形して成るゲルシートである。上記ゲルは、ポリアクリル酸とポリアクリル酸塩の少なくとも一方をベースに形成ものである。または、寒天と、ポリアクリル酸とポリアクリル酸塩の少なくとも一方をベースに形成したものである。
【０００６】
上記ゲルには、アロエ、キャロット、キューカンバー、桃の葉、ホホバ、ラズベリーのうちの任意の１種以上の植物エキスを含有する。さらに、上記ゲルに、ラベンダー、ローズマリー、ハッカ、ヒノキ、カモミラ、バラ、カミツレのうちの任意の１種以上のハーブエキスを加えてもよい。
【発明の効果】
【０００７】
この発明のゲルシートは、植物エキスによる効果を十分に得ることができ、さらに、ハーブ等による効果も容易に得ることが可能なものである。これにより、安全で効果的な化粧用パックを形成することができる。
【発明を実施するための最良の形態】
【０００８】
以下、この発明の実施形態について説明する。図１、図２は、この発明の一実施形態を示したものであり、この実施形態の化粧用パックのゲルシート１０は、ほぼ一定の厚みを有するシート状に形成され、このゲルシート１０は、例えば図１に示すように、顔の上部表面に貼付可能な構成である顔上部用シート１０ａと、鼻から下及び顎部に貼付する顔下部用シート１０ｂから成る。また、図２に示す、目元用シート１０ｃ等、適宜の形状に形成されている。
【０００９】
この実施形態のゲルシートは、植物抽出エキスを大量に含むものであり、ポリアクリル酸塩をベースにしたゲルの場合、表１に示す成分割合とする。また、寒天をベースにしたゲルの場合、表２に示す成分割合となる。
【００１０】
【表１】
2005104859.tif 000003
【００１１】
【表２】
2005104859.tif 000004
このパック用のゲルシート１０は、ゲル自体の保形性によりシート状を維持しているものであり、含まれる植物エキス成分により表３に示す効果を有する。
【００１２】
【表３】
2005104859.tif 000005
この実施形態のゲルシート１０の使用方法は、図示しない剥離フィルムからはがして、顔の所望の部位に貼付するものである。これにより得られる効果は、表３に示すように、保湿や抗炎症作用等、肌にとって好ましいものである。
【００１３】
さらに、表４に示すように、アロマ効果を奏するハーブエキスを、このゲルシート１０に適宜混合すると良い。
【００１４】
【表４】
2005104859.tif 000006
これにより、芳香による鎮静効果等を効果的に発揮させるとともに、上記植物エキスによる効果を得ることができる。
【００１５】
なお、この発明のゲルシートは、上記実施形態に限定されるものではなく、加える植物エキスの種類は適宜選択可能なものであり、任意の組み合わせにより調製することができる。ゲルシートの形状も適宜設定可能なものであり、ゲルに含有させる成分の適宜選択可能なものである。
【図面の簡単な説明】
【００１６】
【図１】この発明の一実施形態のパック用ゲルシートの正面図である。
【図２】この実施形態のパック用ゲルシートの他の形状の使用例を示す正面図である。
【符号の説明】
【００１７】
１０  ゲルシート
【図１】
2005104859.tif 000007
【図２】
2005104859.tif 000008
(57)【要約】【目的】  電気分解によって作り出された活性水素を有する電解還元水（１）を，白癬菌など真菌が手や足の表面等に感染して起きた水虫やタムシに対して，直接塗布することで，菌の死滅と傷の治癒促進を同時に行う水虫治療用電解還元水。【構成】  水虫治療用電解還元水は，電解還元水（１）に含まれる活性水素の還元反応によって，酸素を奪う作用で白癬菌を窒息死させ，活性酸素を抑制する作用で酸化を防ぎ，血行を良化し細胞の活性を促すことで治癒を促進する。水分子が小さいため，毛細管現象促進作用で角質層などの硬い患部にも浸透し，効果を高める。成分が水であるため，刺激による痛みや副作用も無い。有機物の酸化を防ぐ防腐効果によって，消臭効果が得られる。安全で優れた効果の新しい水虫治療法。【特許請求の範囲】
【請求項１】
電気分解によって作り出された活性水素を有する電解還元水（１）を，白癬菌など真菌が手や足の表面等に感染して起きた水虫やタムシに対して，直接塗布することで，菌の死滅と傷の治癒促進を同時に行う水虫治療用電解還元水。
【発明の詳細な説明】
【発明の詳細な説明】
【産業上の利用分野】
【０００１】  この発明は，５人に１人は感染して悩んでいるとされる水虫やタムシの治療に，浸透力・奪酸素力・還元力に優れた特徴を持っている電解還元水を用いるようにした新しい治療法。
【背景技術】
【０００２】  従来の治療法は，水虫の発生する場所と症状によって，指の間などの皮がただれたりむけたりする「趾間（しかん）型」，水疱（すいほう）ができる「小水疱型」，足のウラが硬くなる「角質増殖型」の３タイプと，爪が冒されて変形する「つめ水虫」というように区分して治療薬を用いていた。外用治療薬として，殺菌作用のある硝酸スルコナゾール，硝酸ミコナゾール，硝酸オキシコナゾール，ビホナゾール，クロトリマゾール，トルナフテート，かゆみ・痛みを鎮めるクロタミトン，リドカイン，Ｉ−メントール，ジフェンヒドラミン，炎症を抑えるグリチルレチン酸ニカリウム，消毒を行うイソプロピルメチルフェノール，２次感染を防ぐ塩酸クロルヘキシジン，皮膚の荒れを改善する尿素などが使用されている。飲用の飲み薬としてグリセオフルビン，テルビナフィン等が使用されている。他に漢方薬，木酢，ハーブなどが使用されている。
【発明が解決しようとする課題】
【０００３】  従来の治療薬には，痛みを伴うものが多かった。長期間同様のものを使用した場合，菌が耐性学習を行い効果が衰える。薬剤の浸透力が弱いため角質増殖型は効きにくい。つめ水虫は，医師が処方する飲み薬でないと効かない。かぶれなどの副作用が出ることもある。など多くの課題があった。よって，痛みを感じない，耐性をさせない，浸透力に優れた，副作用を無くす治療を可能にする。
【課題を解決するための手段】
【０００４】  白癬菌のライフサイクルは，皮膚の一番外側の角質層に寄生して，冬場の低温で乾燥しているときは，休眠状態。春先から夏場にかけて，高温で湿度が高まると，増殖して患部を悪化させる。住みかの角質層は，外部の刺激や雑菌から体を守るために，たいへん強固にできているため，いったん住み着くとクスリが浸透しにくく，なかなか退治できない。生命力は，はがれ落ちた皮膚の破片の中でも生き続けるという執念深さ。他の生き物に置き換えてみると，毒蛇のマ厶シによく似ている。マムシを殺す方法としては，窒息させる方法がある。そこで，白癬菌を窒息させるには，どのよにすればよいか考察した結果，優れた機能を有した電解還元水に辿り着いた。一般的なアルカリイオン水といわれる電解還元水は，求める還元力に乏しく，還元力を長期間安定することが不可能であった。よって，現在まで，白癬菌の治療に登場しなかったことが裏付けられる。しかし，優れた機能を有した電解還元水の特徴は，酸化還元電位−３１０ｍＶ，溶存酸素ほぼゼロ，クラスター極小という驚くべき数値を示した。このことにより，実験を行ったところ，成分が水であるため，刺激による傷みをほとんど感じない。クラスターが極小のため浸透力が強く，硬い角質層の上からも巻爪で白く変色した爪にも，さすると同時に浸透が認められ，角質層と白変した爪には軟化が認められた。痛み・かゆみに関しては，患部に塗布すると短時間の内に改善される。還元水が浸透することで，奪酸素作用によって白癬菌を窒息死（耐性不可能）させ，活性水素の還元力で菌による酸化と活性酸素の発生を抑制する効果が発揮される。細胞の酸化を抑制する作用は，ヒフを黄泉がえさせ傷の治癒を早める効果がある。以上の結果から，痛みを感じない，耐性をさせない，浸透力に優れた，副作用を無くす治療を可能にするよいう課題が全て解決したことになる。よって，ようやくこの発明を完成させることができた。この発明に関わる水虫の治療に用いる電解還元水は，電気分解によって作り出された活性水素を有する電解還元水（１）を，白癬菌など真菌が足や手の表面等に感染して起きた水虫やタムシに対して直接塗布することで，菌の死滅と傷の治癒促進を同時に行う。なお，無添加なものとしては，実施例のようにしてもよいが，関わる薬剤，香料などの組み合わせとして，その他にも採用できるものがいろいろと考えられることはいうまでもない。
【作用】
【０００５】  水虫治療用電解還元水は，電解還元水（１）に含まれる活性水素の還元反応によって，酸素を奪う作用で白癬菌を窒息死させ，活性酸素を抑制する作用で余分な酸化を防ぎ，血行を良化し細胞の活性を促す作用で治癒を促進する。水分子が小さいため，毛細管現象促進作用で角質層などの硬い患部にも浸透し，効果を高める。成分が水であるため，刺激による痛みや副作用も無い。
【実施例】
【０００６】実施例１
電気分解によって作り出された活性水素を有する電解還元水（１）を，白癬菌など真菌が手や足の表面等に感染して起きた水虫やタムシに対して，直接塗布することで，菌の死滅と傷の治癒促進を同時に行う外用治療法に用いる。
【発明の効果】
【０００７】  この発明に関わる水虫治療用電解還元水においては，従来の治療薬と決定的に違うところは，成分が「水」ということです。だから，使用される方の男女年齢，使用部位を問いません。無色透明，無臭，無刺激。水分子が非常に小さいため，速やかに吸収され還元反応を開始します。効果を示した例は，指の間などの皮がただれたりむけたりする「趾間（しかん）型」，水疱（すいほう）ができる「小水疱型」，足のウラが硬くなる「角質増殖型」の３タイプと，爪が冒されて変形する「つめ水虫」の各症状に対して，全てに効果的があった。水虫やタムシの原因菌である白癬菌は，非常に生命力が強く何処にでも存在している菌であるため，治癒しても再感染の確率が高い。その都度，劇薬を常用していたのでは，体に対して悪影響を及ぼす可能性も出てきます。最近ではセントラルヒーティングの普及，女性のストッキングやブーツの使用など、冬場でも温度差が無く湿度の高い環境が，水虫を一年中元気にしています。このような状態では体を守るために，効果的で痛みや副作用が無く安全性の高い治療法が求められます。また，電解還元水には，有機物の酸化を防ぐ防腐効果によって，優れた消臭効果及び防臭効果が得られるため，従来の治療薬・治療法とは格段の差が生じ，次元の異なるものとなる。様々な需要者の満足に十分応えることができるため販路が拡大する。
(57)【要約】【課題】広告効果とカレンダー・メモ帳の利便性を図りながら使いやすくまとめ上げ更に、カレンダーの機能を損う事なく、月日の見易さを最大限に考慮し、差替え可能なカレンダーとした。従来のメモ帳とカレンダー付きの一体型品は、年替わりに廃棄処分となるメモ帳も、カレンダーのみの差替えで再利用が可能となり有効活用が出来る。【解決手段】１・（１）表紙表面に（２）設置用切り込みを設け、月日の文字を大きくし更に、行動予定や確認事項に必要な前後月も取り入れ、見易い（５）カレンダーを挿入出来るようにする。２・（３）剥離防止用切り込みを設ける事で台紙にカレンダーを安定させる。３・（１）表紙表面の（６）と表紙裏面の（７）スペースを広告部として活用する。【選択図】          図２
2005104122.tif 000002
【特許請求の範囲】
【請求項１】
表紙表面と裏面に広告面を設けた、一枚紙の立体型折りたたみ式カレンダー付きメモ帳。
【請求項２】
カレンダーとメモ帳を一体化した、利便性を図れるカレンダー付きメモ帳。
【発明の詳細な説明】
【発明の詳細な説明】
【技術分野】
【０００１】２〜３ヶ月分のカレンダーが差替え出来て、しかも広告面が前面に表示されるため、販売促進用として提供出来るカレンダー付きメモ帳。
【背景技術】
【０００２】従来、机上で使用されているカレンダーと、メモを組み合わせた卓上メモ形式品は、合成樹脂等で作った台板の上面にメモ用紙を積層し、筆記具立てを設けたもの、厚紙の台紙に積層して形成したメモ帳にカレンダーを印刷したものが知られている。
【発明が解決しようとする課題】
【０００３】従来の卓上メモ形式は、製造原価が高く、宣伝用に適さない製品である。又、広告カレンダー・メモ機能が一体化されていない等の問題も生じた。更に、年替わりには製品化した合成樹脂の台板が不要となり又、厚紙・台紙のメモ帳にカレンダー付きの一体型品も同じ様に古くなったメモ帳が『ごみ』として捨てられ、環境破壊等の問題があり、更に、メモ帳にカレンダーが印刷されたもので、年間表示の場合は文字が小さいため見間違える要素があった。月単位で表示されたものは、２、３ヶ月先迄の曜日確認が一見できず、予定や管理などの配慮に欠けている。更に見易くするにも卓上メモ帳の占有に限りなどがあった。
【課題を解決するための手段】
【０００４】本発明は、上記課題を解決するとともに、低価格で環境を配慮した組立式に中長期に対応したカレンダーを付帯したメモ帳の製品を提供することである。
【発明を実施するための最良の形態】
【０００５】以下、本発明の実施の形態について説明する。
１・本発明品は、組み立てた際に前面に位置する表紙裏面、つまりメモ冊子を被覆する面に、単体のカレンダーを表示する場所を取り、そこにカレンダーを取り付けるために必要な切り込みを左右と中心部に設け、カレンダーの端の部分を切り込み口に差し込むことで台紙に設置する。更に、中心部の切り込みにカレンダーを挟むことにより浮き上がったり、剥離することを防ぎ台紙にカレンダーを安定させることにした。
２・メモ帳の表紙表面の一部分に広告面のみを離間させる切り抜き線を設け、組立て時に広告面を起立させ広告機能を持たせた。
【発明の効果】
【０００６】販売促進用としての広告効果と、営業活動・電話等による確認事項などに不可欠なカレンダーとの役割を損なうことなく両立させ、広告、カレンダーが見易く表示出来る。
【図面の簡単な説明】
【０００７】
【図１】本発明の全体図。
【図２】本発明の使用状態を示す組立図。
【符号の説明】
【０００８】  １・表紙
２・カレンダーの設置用切り込み
３・カレンダーの剥離防止用切り込み
４・カレンダーの添付
５・複数枚のカレンダー
６・表紙表面の広告面
７・表紙裏面の広告面
８・メモ用紙
９・厚紙の台紙
１０・折り目
１１・離間部分
【図１】
2005104122.tif 000003
【図２】
2005104122.tif 000004
(57)【要約】【課題】  窓ピラーの大型化を招くことなくその剛性を確保してハーネスの取付作業性を高くする。【解決手段】  車室側の壁面を凹入させた凹形状閉断面の中空部材でバスの窓ピラー１０を構成し、もって、窓ピラー１０の車室側表面にハーネス１３を取り付けるための凹溝１１を形成したことにより、窓ピラーを開断面の部材で構成した場合と同様にハーネスを容易かつ的確に取り付けることができるようにした。【選択図】  図１
2005104390.tif 000002
【特許請求の範囲】
【請求項１】
車室側の壁面を凹入させた凹形状閉断面の中空部材で構成したことを特徴とするバスの窓ピラー。
【発明の詳細な説明】
【技術分野】
【０００１】
本発明はバスの窓ピラーに係り、特に、押釦スイッチ等で代表される電装品に接続されるハーネスの取付作業性を高くすることができる窓ピラーに関するものである。
【背景技術】
【０００２】
バスの窓ピラーを閉断面部材で構成した場合は、ピラーを小型化しつつその剛性を高くすることができる利点がある。一方、バスにあっては、窓ピラーの車室側表面に押釦スイッチあるいは各種の表示ランプ等の電装品を取り付けることがある。
【０００３】
従って、従来では図３に示したように、窓ピラー１の上端近傍に設けた孔２から窓ピラー１内にハーネス３を挿入し、電装品４の取付部位の近傍に設けた孔５からハーネス３を引き出してこれを電装品４に接続していたが、窓ピラー１内へのハーネス３の挿入および引き出しに手数がかかるとともに、孔２、５の部分でハーネス３に傷がつく可能性があるために、孔２、５の周縁にプロテクタを取り付けてハーネス３を傷損から保護する必要性があるいう不具合があった。
【０００４】
かかる不具合を解消するために、外方に張出成形された開断面部材で窓ピラーを構成してその凹入部位にハーネスを保持させるようにしたものがある（例えば特許文献１等を参照）。
【０００５】
しかしながら、窓ピラーを開断面部材で構成した場合は、閉断面部材で構成した場合に対比して窓ピラーが大型化してしまうために、窓による解放感が損なわれるという問題がある。
【特許文献１】実公平２−４６４３４号公報
【発明の開示】
【発明が解決しようとする課題】
【０００６】
解決しようとする問題点は、ピラーの大型化を招くことなくその剛性を確保してハーネスの取付作業性を高くすることができない点である。
【課題を解決するための手段】
【０００７】
本発明は、車室側の壁面を凹入させた凹形状閉断面の中空部材でバスの窓ピラーを構成したことを特徴としている。
【発明の効果】
【０００８】
本発明に係るバスの窓ピラーは、車室側の壁面を凹入させた凹形状閉断面の中空部材で構成したことにより、ハーネス取付用の凹溝を形成したものであるから、剛性の高い閉断面の中空部材で窓ピラーを構成するにも拘らず、窓ピラーを開断面の部材で構成した場合と同様にハーネスを容易かつ的確に取り付けることができるために、電装品に接続されるハーネスの取付作業性が高くなる。
【発明を実施するための最良の形態】
【０００９】
本発明の最良の実施形態を図に基づいて詳細に説明する。図１は本発明に係るバスの窓ピラーの一実施形態を示す概略斜視図、図２は図１のＡ−Ａ断面図である。
【００１０】
これらの図において、本実施形態においては、車室側の壁面を凹入させた凹形状閉断面の中空部材で窓ピラー１０を構成することにより、窓ピラー１０の車室側壁面に凹溝１１を形成している。
【００１１】
そして、窓ピラー１０の車室側壁面に取り付けた押釦スイッチ等で代表される電装品１２に至るハーネス１３を前記凹溝１１内に配索したうえで、図示しない化粧板等を窓ピラー１０の表面に取り付けてハーネス１３を保護するとともに、車室内の美観を保持させている。
【００１２】
従って、従来のように剛性の低い開断面の部材で窓ピラーを構成する必要性がなく、剛性の高い閉断面の中空部材で窓ピラー１０を構成するにも拘らず、ハーネス１３を取り付けるための凹溝１１を窓ピラー１０の車室側壁面に確保している。
【００１３】
このために、窓ピラーをあたかも開断面の部材で構成した場合と同様にハーネス１３を容易かつ的確に取り付けることができるとともに、化粧板を取り付けない状態では凹溝１１内のハーネス１３を目視することができるために、事後のトラブル発生時におけるハーネス１３の点検作業性が高くなる。
【００１４】
なお、ハーネス１３は上記のように化粧板の取り付け等により凹溝１１内に保持されるが、化粧板を取り付けるまでの一時的な保持あるいは振動等による窓ピラー１０との緩衝によるハーネス１３の保護等を目的として接着剤、粘着材あるいは従来公知のクリップ等を用いてハーネス１３を凹溝１１内に止着するようにしてもよい。
【００１５】
また、実施形態では窓ピラー１０の車室側壁面の中央部分に１条の凹溝１１を形成しているが、車室側壁面の中央から前後いずれかに偏位した位置に凹溝１１を形成したものであってもよく、複数条の凹溝１１を形成したものであってもよい。
【図面の簡単な説明】
【００１６】
【図１】本発明に係るバスの窓ピラーの一実施形態を示す概略斜視図である。
【図２】図１のＡ−Ａ断面図である。
【図３】バスの窓ピラーの従来例を示す概略斜視図である。
【符号の説明】
【００１７】
１０    窓ピラー
１１    凹溝
１２    電装品
１３    ハーネス
【図１】
2005104390.tif 000003
【図２】
2005104390.tif 000004
【図３】
2005104390.tif 000005
(57)【要約】【課題】  競技用車椅子において、腕力をより効果的に車輪に伝達することが可能なホイール構造を提供することを課題とする。【解決手段】  リング部２７のリング内空間にディスク部２８を渡したので、グローブ２６でディスク部２８を叩く若しくは擦ることで、腕力を車輪１６へ伝達することができることを示す。すなわち、リング部２７及びディスク部２８の両方を用いて腕力を車輪１６へ伝達することができ、競技用車椅子の使い勝手性を向上させることができる。【選択図】      図３
2005145192.tif 000002
【特許請求の範囲】
【請求項１】
シートの両側にスポークホイール形の車輪を配置し、これらの車輪にハンドリムを備え、ハンドリムを手で操作することで走行させる形式の車椅子において、
前記ハンドリムは、手で直接触れるリング部と、このリング部のリング内空間に渡したディスク部とからなることを特徴とする車椅子用ホイール構造。
【発明の詳細な説明】
【技術分野】
【０００１】
本発明は、車椅子用ホイール構造の改良に関する。
【背景技術】
【０００２】
近年、介護機器の一つである車椅子に各種の工夫が施されている。（例えば、特許文献１参照。）。
【特許文献１】特開２００１−１９１７０１号公報（図２）
【０００３】
特許文献１を次図に基づいて説明する。
図４は従来の技術の基本原理を説明する図であり、リム１に十文字にプレート状スポーク４をリベット６で締結し、且つ４枚のプレート状スポーク４をハブ３にリベット６で締結したことを特徴とする。
【０００４】
ところで、ワイヤスポークはスポーク本数が多いため調整が難しく、又、スポークの無いディスクホイールは横風の影響を受けやすい。
特許文献１は、プレート状スポークであるため、スポークの調整は不要であり、横風の影響を受けにくいという利点を有する。
【０００５】
車椅子では、前記リム１にハンドリムと称するリングを付属し、このハンドリムを手で回すこと走行を維持する。
車椅子は通常の車椅子の他に、競技用車椅子と称するものがあり、競技用車椅子では、競技者は厚手のグローブを嵌め、このグローブでハンドリムを、殆ど叩くことで高速で走行する。
【０００６】
ハンドリムは小径のパイプ若しくは丸棒で形成したリングであるため、競技者の手（グローブ）の甲を当てるための、受け面積が限られ、腕力を効率よく車輪に伝えには、熟練を要する。
【０００７】
この対策として、ハンドリムを大径のパイプ又は丸棒で構成することが考えられる。しかし、ハンドリムの大径化は走行抵抗の増加に直接繋がり、且つ車椅子の重量増加を招く虞がある。
【発明の開示】
【発明が解決しようとする課題】
【０００８】
本発明は、腕力をより効果的に車輪に伝達することが可能なホイール構造を提供することを課題とする。
【課題を解決するための手段】
【０００９】
請求項１に係る発明は、シートの両側にスポークホイール形の車輪を配置し、これらの車輪にハンドリムを備え、ハンドリムを手で操作することで走行させる形式の車椅子において、前記ハンドリムは、手で直接触れるリング部と、このリング部のリング内空間に渡したディスク部とからなることを特徴とする。
【発明の効果】
【００１０】
請求項１に係る発明では、リング部のリング内空間にディスク部を渡したので、リング部のみならず、ディスク部を介して腕力を車輪へ伝達することができる。
リング部をパイプや丸棒のリングで構成する場合、パイプや丸棒の外径を増加する必要がないので、走行抵抗は増加しない。すなわち、走行抵抗を増加させることなく、腕力をより効果的に車輪へ伝達させることができる。
【発明を実施するための最良の形態】
【００１１】
本発明を実施するための最良の形態を添付図に基づいて以下に説明する。なお、図面は符号の向きに見るものとする。
図１は本発明に係る競技用車椅子の平面図であり、競技用車椅子１０は、車体前後に延びる車体フレーム１１と、この車体フレーム１１の前部に設けた前輪１２と、この前輪１２を左右に操舵するハンドル１３と、車体フレーム１１の後部に設けたケージ１４と、このケージ１４に納めたシート１５と、ケージ１４の両側に配置した左右のスポークホイール形の車輪１６、１６と、車輪１６、１６に備えたハンドリム１７、１７とからなる。
【００１２】
図２は本発明に係るホイール構造の断面図であり、車輪１６は、タイヤ１９を嵌めるスポークリム２１と車軸２２を嵌めるハブ２３との間にプレート状スポーク２４、２４（図１参照）を渡し、スポーク２４、２４から支持座２５、２５を出し、ハンドリム１７を支持させる。
そして、ハンドルリム１７は、手又はグローブ２６で直接触れるリング部２７と、このリング部２７のリング内空間に渡したディスク部２８とから構成する。
【００１３】
ディスク部２８は、本実施例では車軸２２の先端にねじ込むナット２９の保守、点検が可能なように、点検孔３１を開け、この点検孔３１に円錐部３２を被せた。しかし、ナット２９の点検が不要であれば、ディスク部２８は孔無し円板であってもよい。
【００１４】
図は、手の甲、すなわちグローブ２６でリング部２７を叩き、腕力を車輪１６へ伝達する様子を示す。
【００１５】
図３は本発明に係るディスク部の作用図であり、リング部２７のリング内空間にディスク部２８を渡したので、グローブ２６でディスク部２８を叩く若しくは擦ることで、腕力を車輪１６へ伝達することができることを示す。
すなわち、本発明によれば、リング部２７及びディスク部２８の両方を用いて腕力を車輪１６へ伝達することができ、競技用車椅子の使い勝手性を向上させることができる。
【００１６】
尚、本発明のディスク部は、薄い金属板、樹脂板の他、目の密なメッシュ、孔が小さなパンチングメタル（多孔板）、格子板であってもよく、要は手先の浸入を阻止する作用する板であれば種類は問わない。
また、車輪はワイヤスポークホイールであってもよい。
さらには、車椅子は競技用車椅子の他、一般の車椅子であったもよい。
【産業上の利用可能性】
【００１７】
本発明は、車椅子用ホイールに好適である。
【図面の簡単な説明】
【００１８】
【図１】本発明に係る競技用車椅子の平面図である。
【図２】本発明に係るホイール構造の断面図である。
【図３】本発明に係るディスク部の作用図である。
【図４】従来の技術の基本原理を説明する図である。
【符号の説明】
【００１９】
１０…競技用車椅子、１５…シート、１６…車輪、１７…ハンドルリム、２４…スポーク、２７…リング部、２８…ディスク部。
【図１】
2005145192.tif 000003
【図２】
2005145192.tif 000004
【図３】
2005145192.tif 000005
【図４】
2005145192.tif 000006
(57)【要約】【課題】大工さんや果樹栽培をする農家が使用する鋸の柄は真っ直ぐなものが多く材木を切ろうとしても、農家が果樹栽培のために林檎・桃の枝を整枝剪定するために切ろうとしても手が滑ってしまい思うように切れなかった。【解決手段】鋸の柄から手が滑らないようにするためにプラスチック等で作ったＵ字形の補助具を二つに折り曲げて鋸の柄を挟むように柄の側面に取り付けた。【選択図】「図２」
2005145034.tif 000002
【特許請求の範囲】
【請求項１】
プラスチック等で作ったＵ字形の補助具を二つに折り曲げて鋸の柄を両側から挟むようにして鋲・釘等で柄の側面に取り付ける。
【請求項２】
プラスチック等で作ったＵ字形の補助具を二つに折り曲げて鋸の柄を両側から挟むようにしてテープ等を巻き付けて固定する。
【発明の詳細な説明】
【技術分野】
【０００１】従来家を建てたり物を作る場合は大工が鋸をつかって材木を切ったりきざんたりして作っていた。又林檎、桃、等果樹栽培においては鋸を用いて剪定をして樹木を整理りしていた。
【背景技術】
【０００２】
【発明の開示】
【発明が解決しようとする課題】
【０００３】大工が使う鋸の柄は真っ直ぐな物がほとんどであり、果樹栽培をする農家が使う剪定の鋸の柄もほとんど真っ直ぐな物であった。これらは手で持って引いて切ろうとしたときに手が滑ってしまい、思うように切れず又柄を強く握って引かねばならず、手が疲れてしまった。
【課題を解決するための手段】
【０００４】鋸の柄から手が滑らないようにするために、プラスチック等軽くて柔軟性のあるものでＵ字形に作った補助具を二つに折り曲げて鋸の柄を挟むように鋲・釘等で柄の側面に取り付けてみた。
【発明の効果】
【０００５】本発明は、このような構造であるから鋸の柄を持って大工が材木を切ろうとしても、果樹栽培農家が林檎や桃の枝を切って剪定をしようとしても、この補助具に握った手がひっかかり手が滑ることがなく、又強く握締める必要もなく手が疲れることもない。
【発明を実施するための最良の形態】
【０００６】鋸の柄に本発明の補助具を二つに折り曲げて鋸の柄を挟むように鋲・釘等で固定して取り付ける。又本補助具を鋸の柄の長さに応じて所々に付けておけば、その時々に合った補助具の所を持って鋸を仕様することができて便利であり手が疲れることもなく仕事の能率も上がる。
又、本補助具を止める時、鋲・釘ではなくテープ等を巻き付けて固定してもよい。
【実施例】
【０００７】本補助具を鋸の柄の両側の側面にとりつける。（図２）を参照
【図面の簡単な説明】
【０００８】
【図１】本案の平面図
【図２】本案の実施例を示す斜視図である。
【符号の説明】
１  鋸柄補助具      ２  止め穴      ３  鋸の柄
【図１】
2005145034.tif 000003
【図２】
2005145034.tif 000004